(57)【要約】【課題】耐突入電流電磁リレーにおいて、突入電流用の接点と定常電流用の接点とを電気的に独立させることにより、製造工程での動作確認時に突入電流用の接点接触時刻と定常電流用の接点接触時刻を計測可能として、その時間差を調整し不良品を低減可能とする。【解決手段】リレーにおいて、突入電流用可動接点４１ｃを有する可動接点バネ４１及び可動接点端子４１ｄと、定常電流用可動接点４２ｃを有する可動接点バネ４２及び可動接点端子４２ｄと、突入電流用固定接点５１ａを有する固定接点端子５１と、定常電流用固定接点５２ａを有する固定接点端子５２と、突入電流用固定接点６１ｂを有する固定接点端子６１と、定常電流用固定接点６２ｂを有する固定接点端子６２とが、互いに電気的に独立して分割されて設けられる。動作確認時に突入電流用と定常電流用の各電気的経路の導通時刻を計測可能となり、その時間差を調整して不良品を低減させることができる。【選択図】図１
2006179351.tif 000002
【特許請求の範囲】
【請求項１】
ボビンに巻装されるコイル、前記ボビンの筒部に挿入されて前記コイルに電流が流れることで磁力が発生したときに両端が磁極となる棒状の鉄芯及び前記鉄芯の一端に接続されて他端近傍まで延設される継鉄を有する電磁石装置と、前記電磁石装置を収納するベースと、強磁性体からなる接極子を有し、前記電磁石装置の動作に応じてこの接極子が前記鉄芯又は継鉄に磁気吸引されることで揺動するように前記ベースに配されるカードと、弾性変形可能な導電部材からなり、一端に突入電流用可動接点及び定常電流用可動接点とを有し、前記カードに拘持されて前記カードの揺動に応じて前記突入電流用可動接点と定常電流用可動接点とを変位させる可動接点バネと、前記可動接点バネと通電可能に接続され、前記ベースに保持される可動接点端子と、前記カードが揺動することで変位した突入電流用可動接点及び定常電流用可動接点とそれぞれが接触して通電する突入電流用固定接点及び定常電流用固定接点を有し、導電部材からなり前記ベースに固定される固定接点端子とを備え、前記突入電流用可動接点及び突入電流用固定接点は、この接点間に流れる突入電流を許容可能な材質でなり、前記電磁石装置が動作してカードが揺動することで前記突入電流用可動接点と突入電流用固定接点が接触し、その後、前記定常電流用可動接点と定常電流用固定接点とが接触して前記可動接点端子と固定接点端子との間の継電動作を行う耐突入電流電磁リレーにおいて、
前記可動接点バネは、前記突入電流用可動接点を有する可動接点バネと、前記定常電流用可動接点を有する可動接点バネとに分割されて設けられ、それぞれの可動接点バネに前記可動接点端子が通電可能に接続され、さらに、
前記固定接点端子は、前記突入電流用固定接点を有する固定接点端子と、前記定常電流用固定接点を有する固定接点端子とに分割されて設けられており、
前記突入電流用の可動接点と固定接点とにより通電される可動接点端子と固定接点端子との間の電気的経路と、前記定常電流用の可動接点と固定接点とにより通電される可動接点端子と固定接点端子との間の電気的経路とが互いに独立していることを特徴とする耐突入電流電磁リレー。
【請求項２】
ボビンに巻装されるコイル、前記ボビンの筒部に挿入されて前記コイルに電流が流れることで磁力が発生したときに両端が磁極となる棒状の鉄芯及び前記鉄芯の一端に接続されて他端近傍まで延設される継鉄を有する電磁石装置と、前記電磁石装置を収納するベースと、強磁性体からなる接極子を有し、前記電磁石装置の動作に応じてこの接極子が前記鉄芯又は継鉄に磁気吸引されることで揺動するように前記ベースに配されるカードと、弾性変形可能な導電部材からなり、一端に突入電流用可動接点及び定常電流用可動接点とを有し、前記カードに拘持されて前記カードの揺動に応じて前記突入電流用可動接点と定常電流用可動接点とを変位させる可動接点バネと、前記可動接点バネと通電可能に接続され、前記ベースに保持される可動接点端子と、前記カードが揺動することで変位した突入電流用可動接点及び定常電流用可動接点とそれぞれが接触して通電する突入電流用固定接点及び定常電流用固定接点を有し、導電部材からなり前記ベースに固定される固定接点端子とを備え、前記突入電流用可動接点及び突入電流用固定接点は、この接点間に流れる突入電流を許容可能な材質でなり、前記電磁石装置が動作してカードが揺動することで前記突入電流用可動接点と突入電流用固定接点が接触し、その後、前記定常電流用可動接点と定常電流用固定接点とが接触して前記可動接点端子と固定接点端子との間の継電動作を行う耐突入電流電磁リレーにおいて、
前記可動接点バネ及び可動接点端子若しくは前記固定接点端子の少なくともどちらか一方が、突入電流用可動接点若しくは突入電流用固定接点と、定常電流用可動接点若しくは定常電流用固定接点とに分割されて設けられており、
前記突入電流用の可動接点と前記固定接点とにより通電される可動接点端子と固定接点端子との間の電気的経路と、前記定常電流用の可動接点と固定接点とにより通電される可動接点端子と固定接点端子との間の電気的経路とが、前記可動接点端子若しくは固定接点端子の少なくともどちらか一方で電気的に分離されていることを特徴とする耐突入電流電磁リレー。
【発明の詳細な説明】
【技術分野】
【０００１】
本発明は、通電開始時の突入電流を許容可能な耐突入電流電磁リレーに関するものである。
【背景技術】
【０００２】
従来、電磁リレーが例えばランプ負荷、モータ負荷等の制御に用いられ、通電を開始するときに発生する突入電流によって、可動接点と固定接点とが溶着したり、接点転移等が発生して接点開離不能を起こす原因となっていた。この突入電流に対する対策を講じた電磁リレーとして、例えば特許文献１に記載されるように、可動接点とこの可動接点が接離する固定接点とを、突入電流を許容可能な材質とされた突入電流用の接点と、導電率の高い定常電流用の接点とにそれぞれ分割し、当該リレー上において、可動接点側の端子と固定接点側の端子との端子間で突入電流用と定常電流用の電気的経路を並列に構成した耐突入電流電磁リレーがある。このリレーは、継電動作時に、先ず、突入電流用の可動接点と固定接点とが接触した後、定常電流用の可動接点と固定接点とが接触するように動作し、例えばランプ負荷、モータ負荷等の通電開始時に発生する突入電流は、突入電流用の接点が接触することで通電され、定常電流用の接点が接触した後は、定常電流が主に導電率の高い定常電流用の接点により通電される。
【０００３】
このような従来の耐突入電流電磁リレーの一例を図６に示す。この耐突入電流電磁リレーは、電磁石装置８１と、この電磁石装置８１を収納するベース８２と、このベース８２に揺動可能に取り付けられ、電磁石装置８１の動作に応じて揺動するカードブロック８３と、一端に切り替え接点（ｃ接点）となる突入電流用可動接点８４１ｃ及び定常電流用可動接点８４２ｃを有し、この可動接点間にスリットが入り二股状となった可動接点バネ８４と、この可動接点バネ８４を通電可能に支持接続し、ベース８２に保持される可動接点端子８４ｄと、常開接点（ａ接点）となり、継電動作時に突入電流用可動接点８４１ｃ及び定常電流用可動接点８４２ｃとそれぞれが接触して通電する突入電流用固定接点８５１ａ及び定常電流用固定接点８５２ａを有し、ベース８２に固定される固定接点端子８５と、接点を有さず、ベース２の可動接点バネの上方に固定されるダミー端子８６を備えており、ベース８２はカバー８７によって被装される。
【０００４】
電磁石装置８１は、ボビン８１１に巻装されたコイル８１２と、ボビン８１１の筒部に挿入される棒状の鉄芯８１３と、継鉄８１４と、コイル８１２に接続されて電流を流すためのコイル端子８１５を有している。鉄芯８１３はコイル８１２に電流が流れることで、吸引部８１３ａと接続部８１３ｂとが磁極となる。継鉄８１４は、接続部８１４ｂが鉄芯８１３の接続部８１３ｂと接続され、鉄芯８１３の他端である吸引部８１３ａの近傍まで延設され、吸引部８１３ａ近傍が吸引部８１４ａとなっている。カードブロック８３は、一部が回転軸８３１ａとなり、可動接点バネ８４を拘持するための拘持爪８３１ｂを有するカード８３１と、永久磁石８３２と、強磁性体からなる接極子８３３とを有している。接極子８３３は２個備えられており、永久磁石８３２の磁極の両側に固着される。この永久磁石８３２と接極子８３３は、永久磁石８３２の磁極の向きが図６の矢印に示す向きとなるようにしてカード８３１に嵌込固定される。カードブロック８３は、回転軸８３１ａがベース８２の支持部８２ａに挿嵌され、ベース８２に対して揺動可能に取り付けられる。カードブロック８３がベース８２に取り付けられるとき、接極子８３３が、電磁石装置１の鉄芯８１３の吸引部８１３ａと継鉄８１４の吸引部８１４ａとの隙間に入り込んだ状態となるように、また、カード８３１の拘持爪８３１ｂが、可動接点バネ８４の拘持部８４ｈを拘持するように取り付けられる。
【０００５】
図７及び図８は、可動接点バネ８４、固定接点端子８５及び各接点を示す。可動接点バネ８４上の突入電流用可動接点８４１ｃ及び固定接点端子８５上の突入電流用固定接点８５１ａは、接点間に流れる突入電流を許容可能な材質でなっており、定常電流用可動接点８４２ｃ及び定常電流用固定接点８５２ａは、比較的導電率の高い材質とされている。突入電流用可動接点８４１ｃ及び突入電流用固定接点８５１ａは、定常電流用可動接点８４２ｃ及び定常電流用固定接点８５２ａよりも、可動接点バネ８４及び固定接点端子８５のそれぞれの取付け面からの突出量が大きくなるように突設されている。
【０００６】
この従来の耐突入電流電磁リレーは、コイル端子８１５に駆動電流が流れ、電磁石装置８１が励磁されて動作する。電磁石装置８１が励磁すると、カードブロック８３の接極子８３３が電磁石装置１に磁気吸引され、カード８３１が回転軸８３１ａを中心として回転揺動する。可動接点バネ８４は、拘持部８４ｈがカード８３１に拘持されていることで撓んで、先端に配されたｃ接点を変位させる。例えば、可動接点バネ８４が下方向に撓むように電磁石装置８１が励磁されると、ｃ接点は、固定接点端子８５１に配されたａ接点に近づく方向に変位する。
【０００７】
図９（ａ）（ｂ）（ｃ）に、ｃ接点とａ接点を可動接点バネ８４のｃ接点が設けられた端部の方向から見た図を示す。図９（ａ）に示されるような、電磁石装置８１が励磁していない状態から、電磁石装置８１が励磁してカード８３１が回転することにより可動接点バネ８４が下方向に撓んでいくと、図９（ｂ）に示されるように、定常電流用の接点よりも取付け面からの突出量が大きい突入電流用可動接点８４１ｃと突入電流用固定接点８５１ａとが接触し、通電可能となる。その後、さらに可動接点バネ８４が撓むと、図９（ｃ）に示されるように、可動接点バネ８４の二股状部分のうち突入電流用可動接点８４１ｃが取り付けられた一片が撓むことにより、突入電流用の接点が接触したまま、定常電流用可動接点８４２ｃと定常電流用固定接点８５２ａとが接触し、突入電流用と定常電流用の両方の接点で通電可能となる。このように、耐突入電流電磁リレーが継電動作を行うことで、通電直後に突入電流が流れるようなときにも、突入電流は突入電流用の接点が設けられた電気的経路を通過し、接点溶着や接点転移を発生することがなくなり、その後、定常電流が流れるようになった定常状態においては、主に定常電流用の導電率が高い接点を通じて通電する。
【特許文献１】特開昭６２−４０１２２号公報
【発明の開示】
【発明が解決しようとする課題】
【０００８】
ここで、上述のような耐突入電流電磁リレーにおいては、リレーの動作時に突入電流用の接点が接触してから、定常電流用の接点が接触するまでの時間差が適切であることが、そのリレーの耐突入電流機能にとって重要な条件となってくる。そこで、リレーの製造工程において動作確認を行って、上述の時間差が適正であるかどうかを判断することが望まれている。
【０００９】
しかしながら、上述のような従来の耐突入電流電磁リレーにおいては、可動接点側と固定接点側のそれぞれの突入電流用の接点と定常電流用の接点とがリレー上で電気的に接続されており、リレーを動作させたときに突入電流用の接点と定常電流用の接点の通電状態を確認できず、上述の時間差を計測して管理することができないため、リレーの製造工程にて時間差が不適正なリレーを判別できずにそのまま出荷してしまう等の問題点があった。
【００１０】
本発明は、上記問題点を鑑みてなされたものであり、突入電流用の接点と定常電流用の接点とを電気的に独立させることにより、製造工程において、動作確認時に突入電流用の接点接触時刻と定常電流用の接点接触時刻を計測可能とすることにより、それらの時間差が適正かどうかを判別し、また、その時間差を精密に調整することが可能な耐突入電流電磁リレーを提供することを目的とする。
【課題を解決するための手段】
【００１１】
上記目的を達成するため請求項１の発明は、ボビンに巻装されるコイル、前記ボビンの筒部に挿入されて前記コイルに電流が流れることで磁力が発生したときに両端が磁極となる棒状の鉄芯及び前記鉄芯の一端に接続されて他端近傍まで延設される継鉄を有する電磁石装置と、前記電磁石装置を収納するベースと、強磁性体からなる接極子を有し、前記電磁石装置の動作に応じてこの接極子が前記鉄芯又は継鉄に磁気吸引されることで揺動するように前記ベースに配されるカードと、弾性変形可能な導電部材からなり、一端に突入電流用可動接点及び定常電流用可動接点とを有し、前記カードに拘持されて前記カードの揺動に応じて前記突入電流用可動接点と定常電流用可動接点とを変位させる可動接点バネと、前記可動接点バネと通電可能に接続され、前記ベースに保持される可動接点端子と、前記カードが揺動することで変位した突入電流用可動接点及び定常電流用可動接点とそれぞれが接触して通電する突入電流用固定接点及び定常電流用固定接点を有し、導電部材からなり前記ベースに固定される固定接点端子とを備え、前記突入電流用可動接点及び突入電流用固定接点は、この接点間に流れる突入電流を許容可能な材質でなり、前記電磁石装置が動作してカードが揺動することで前記突入電流用可動接点と突入電流用固定接点が接触し、その後、前記定常電流用可動接点と定常電流用固定接点とが接触して前記可動接点端子と固定接点端子との間の継電動作を行う耐突入電流電磁リレーにおいて、前記可動接点バネは、前記突入電流用可動接点を有する可動接点バネと、前記定常電流用可動接点を有する可動接点バネとに分割されて設けられ、それぞれの可動接点バネに前記可動接点端子が通電可能に接続され、さらに、前記固定接点端子は、前記突入電流用固定接点を有する固定接点端子と、前記定常電流用固定接点を有する固定接点端子とに分割されて設けられており、前記突入電流用の可動接点と固定接点とにより通電される可動接点端子と固定接点端子との間の電気的経路と、前記定常電流用の可動接点と固定接点とにより通電される可動接点端子と固定接点端子との間の電気的経路とが互いに独立しているようにしたものである。
【００１２】
請求項２の発明は、ボビンに巻装されるコイル、前記ボビンの筒部に挿入されて前記コイルに電流が流れることで磁力が発生したときに両端が磁極となる棒状の鉄芯及び前記鉄芯の一端に接続されて他端近傍まで延設される継鉄を有する電磁石装置と、前記電磁石装置を収納するベースと、強磁性体からなる接極子を有し、前記電磁石装置の動作に応じてこの接極子が前記鉄芯又は継鉄に磁気吸引されることで揺動するように前記ベースに配されるカードと、弾性変形可能な導電部材からなり、一端に突入電流用可動接点及び定常電流用可動接点とを有し、前記カードに拘持されて前記カードの揺動に応じて前記突入電流用可動接点と定常電流用可動接点とを変位させる可動接点バネと、前記可動接点バネと通電可能に接続され、前記ベースに保持される可動接点端子と、前記カードが揺動することで変位した突入電流用可動接点及び定常電流用可動接点とそれぞれが接触して通電する突入電流用固定接点及び定常電流用固定接点を有し、導電部材からなり前記ベースに固定される固定接点端子とを備え、前記突入電流用可動接点及び突入電流用固定接点は、この接点間に流れる突入電流を許容可能な材質でなり、前記電磁石装置が動作してカードが揺動することで前記突入電流用可動接点と突入電流用固定接点が接触し、その後、前記定常電流用可動接点と定常電流用固定接点とが接触して前記可動接点端子と固定接点端子との間の継電動作を行う耐突入電流電磁リレーにおいて、前記可動接点バネ及び可動接点端子若しくは前記固定接点端子の少なくともどちらか一方が、突入電流用可動接点若しくは突入電流用固定接点と、定常電流用可動接点若しくは定常電流用固定接点とに分割されて設けられており、前記突入電流用の可動接点と前記固定接点とにより通電される可動接点端子と固定接点端子との間の電気的経路と、前記定常電流用の可動接点と固定接点とにより通電される可動接点端子と固定接点端子との間の電気的経路とが、前記可動接点端子若しくは固定接点端子の少なくともどちらか一方で電気的に分離されているようにしたものである。
【発明の効果】
【００１３】
請求項１の発明によれば、突入電流用の可動接点と固定接点とにより通電される可動接点端子と固定接点端子との間の電気的経路と、前記定常電流用の可動接点と固定接点とにより通電される可動接点端子と固定接点端子との間の電気的経路とが互いに独立しているので、この耐突入電流電磁リレーの製造工程において、リレー動作時の突入電流用と定常電流用のそれぞれの接点接触時刻を電気的に観測することが可能となり、突入電流用の接点接触時刻と定常電流用の接点接触時刻との時間差を精密に管理することができる。そして、この時間差管理による動作確認を行うことで、上述の時間差が適切でないような不良製品を製造工程にて特定可能となり、不良製品を出荷してしまうことを防止することができる。また、耐突入電流電磁リレーの調整工程においても、上記の各接点接触時刻を電気的に観測することにより容易に、また確実に上述の時間差を調整することが可能となり、不良製品を減らすことが可能となる。
【００１４】
請求項２の発明によれば、突入電流用の可動接点と固定接点とにより通電される可動接点端子と固定接点端子との間の電気的経路と、前記定常電流用の可動接点と固定接点とにより通電される可動接点端子と固定接点端子との間の電気的経路とが、可動接点端子若しくは固定接点端子の少なくともどちらか一方で電気的に分離されているので、この耐突入電流電磁リレーの製造工程において、突入電流用と定常電流用のそれぞれの接点接触時刻を電気的に観測することが可能となり、突入電流用の接点接触時刻と定常電流用の接点接触時刻との時間差を精密に管理することができる。そして、この時間差管理による動作確認を行うことで、上述の時間差が適切でないような不良製品を製造工程にて特定可能となり、不良製品を出荷してしまうことを防止することができる。また、耐突入電流電磁リレーの調整工程においても、上記の各接点接触時刻を電気的に観測することにより容易に、また確実に上述の時間差を調整することが可能となり、不良製品を減らすことが可能となる。
【発明を実施するための最良の形態】
【００１５】
以下、本発明の実施の形態について図面を参照して説明する。図１乃至図３は、本実施形態における耐突入電流電磁リレーを示す。この耐突入電流電磁リレー（以下、リレーと略す）は、電磁石装置１と、この電磁石装置１を収納するベース２と、このベース２に揺動可能に取り付けられ、電磁石装置１の動作に応じて揺動するカードブロック３と、ベース２に保持される可動接点端子４１ｄ，４２ｄがそれぞれの一端に通電可能に接続された、弾性変形可能な導電部材からなる可動接点バネ４１，４２と、これら可動接点バネ４１，４２のそれぞれの下側にベース２に固定される固定接点端子５１，５２と、可動接点バネ４１，４２のそれぞれの上側にベース２に固定される固定接点端子６１，６２と、ベース２を被装するカバー７とを備えている。可動接点バネ４１及び可動接点端子４１ｄと、可動接点バネ４２及び可動接点端子４２ｄと、固定接点端子５１，５２と、固定接点端子６１，６２とは、それぞれ電気的に独立して分割されて設けられる。
【００１６】
電磁石装置１は、ボビン１１に巻装されたコイル１２と、ボビン１１の筒部に挿入される棒状の鉄芯１３と、継鉄１４と、コイル１２に接続されて電流を流すためのコイル端子１５を有している。鉄芯１３はコイル１２に電流が流れることで、吸引部１３ａと接続部１３ｂとが磁極となる。継鉄１４は、接続部１４ｂが鉄芯１３の接続部１３ｂと接続され、鉄芯１３の他端である吸引部１３ａの近傍まで延設され、吸引部１３ａ近傍が吸引部１４ａとなっている。この継鉄１４により、コイル１２に電流が流れて電磁石装置１が励磁したときに発生する磁束が、鉄芯１３の吸引部１３ａと継鉄１４の１４ａとの間で密となるようにされている。
【００１７】
カードブロック３は、一部が回転軸３１ａとなり、可動接点バネ４１，４２を拘持するための拘持爪３１ｂを有するカード３１と、永久磁石３２と、強磁性体からなる接極子３３とを有している。本実施形態において、接極子３３は２個備えられており、永久磁石３２の磁極の両側に固着される。この永久磁石３２と接極子３３は、永久磁石３２の磁極の向きが図１の矢印に示す向きとなるようにしてカード３１に嵌め込み固定される。カードブロック３は、カード３１の回転軸３１ａがベース２の支持部２ａに挿嵌され、ベース２に対して揺動可能に取り付けられる。カードブロック３がベース２に取り付けられるとき、カード３１に固定された２個の接極子３３が、図３に示されるように、電磁石装置１の鉄芯１３の吸引部１３ａと継鉄１４の１４ａとの隙間に入り込んだ状態となるように、また、カード３１の拘持爪３１ｂが、上述のように可動接点端子４１ｄ，４２ｄにそれぞれ接続される可動接点バネ４１，４２の拘持部４ｈを拘持するように取り付けられる。
【００１８】
図４は、本実施形態において電気的経路を構成する可動接点端子４１ｄ，４２ｄと、固定接点端子５１，５２を示す。可動接点バネ４１，４２の、可動接点端子４１ｄ，４２ｄに支持された側と反対側の端部には、それぞれ突入電流用可動接点４１ｃ及び定常電流用可動接点４２ｃが設けられている。この突入電流用可動接点４１ｃと定常電流用可動接点４２ｃは、可動接点バネ４１，４２の各取付け面の両側に向くように突設されており、本実施形態のリレーにおいて切り替え接点（ｃ接点）となる。固定接点端子５１，５２には、それぞれ突入電流用固定接点５１ａ及び定常電流用固定接点５２ａが、それぞれ突入電流用可動接点４１ｃ及び定常電流用可動接点４２ｃと上下で対応するように突設されており、常開接点（ａ接点）となる。また、図４には示されていないが、固定接点端子６１，６２には、それぞれ突入電流用固定接点６１ｂ及び定常電流用固定接点６２ｂが、それぞれ突入電流用可動接点４１ｃ及び定常電流用可動接点４２ｃと上下で対応するように突設されており、常閉接点（ｂ接点）となる。
【００１９】
上述のａ接点、ｂ接点、ｃ接点の各突入電流用の接点は、接点間に流れる突入電流を許容可能な材質でなっている。一般に、リレーに流れる突入電流は、リレーの負荷の種類により、定常電流より数倍〜数十倍の大きな電流となる。この突入電流が接点間に流れると、接点の溶着や転移を発生することがあるため、本実施形態においては、各突入電流用の接点を、例えば銀酸化カドミウム（ＡｇＣｄＯ）系や銀酸化スズ（ＡｇＳｎＯ２）系等の材質とすることで接点間の突入電流を許容可能としている。定常電流用の接点については、リレーの用途に合わせた種々の材質を用いればよく、導電率が高く、接触安定性のある材質を用いればよい。
【００２０】
次に、本実施形態におけるリレーの動作を説明する。このリレーは、継電動作を行う電気的経路が、突入電流用の接点が設けられた経路と定常電流用の接点が設けられた経路に分割されて２経路となっており、リレー使用時には、リレーを搭載した基板上等のリレー外部で、可動接点端子４１ｄと可動接点端子４２ｄ、固定接点端子５１と固定接点端子５２、固定接点端子６１と固定接点端子６２のそれぞれの端子間を電気的に接続させて２経路を並列にして使用する。コイル端子１５に駆動電流が流れると、電磁石装置１が励磁されて鉄芯１３の吸引部１３ａと継鉄１４の吸引部１４ａとの間で磁束を発生する。この磁束に応じて、カードブロック３の磁極を有する接極子３３が吸引部１３ａ又は吸引部１４ａのどちらかに吸引されることで、カード３１が回転軸３１ａを中心として、図３の黒矢印の方向に回転揺動する。そして、可動接点バネ４１，４２は、カード３１の拘持爪３１ｂによって拘持部４ｈが拘持されていることから、カード３１の揺動によって図３の白抜き矢印の方向に応動し、可動接点バネ４１，４２の各先端に配されたｃ接点を変位させる。例えば、図３において、電磁石装置１が励磁されてカード３１が回転軸３１ａを中心として時計回りに回転する方向に接極子３３が吸引されるとすると、可動接点バネ４１，４２は図３の下方向に撓み、ｃ接点は、固定接点端子５１，５２に配されたａ接点に近づく方向に変位する。
【００２１】
ここで、本実施形態においては、ｃ接点とａ接点の間又はｃ接点とｂ接点の間の接点間距離は、定常電流用の接点間距離よりも突入電流用の接点間距離の方が短くなっている。上述のようにカード３１が回転軸３１ａを中心として時計回り方向に回転して、可動接点バネ４１，４２が同時に撓んでｃ接点がａ接点の方向に変位するとき、先ず、ｃ接点の突入電流用可動接点４１ｃがａ接点の突入電流用固定接点５１ａに接触し、可動接点端子４１ｄと固定接点端子５１との間で通電可能となる。その後、さらにカード３１が回転していくと、可動接点バネ４１，４２がさらに撓んで、ｃ接点の定常電流用可動接点４２ｃがａ接点の突入電流用固定接点５１ａに接触し、可動接点端子４２ｄと固定接点端子５２との間で通電可能となる。このような継電動作は、ｃ接点とｂ接点とが離れている状態において、コイル端子１５に上述と反対方向の駆動電流が流れて、カード３１が回転軸３１ａを中心として反時計回り方向に回転するように動作するときも同様に行われ、突入電流用可動接点４１ｃが突入電流用固定接点６１ｂと接触した後に、定常電流用可動接点４２ｃと定常電流用固定接点６２ｂとが接触する。
【００２２】
リレーが継電動作を行うとき、上述のように、接点間に流れる突入電流を許容可能な材質でなる突入電流用の接点が設けられた電気的経路の方が、定常電流用の接点が設けられた電気的経路の方より先に通電可能となるので、通電直後に突入電流が流れるような用途にこのリレーを用いるときにも、突入電流は突入電流用の接点が設けられた電気的経路を通過し、接点溶着や接点転移を発生することがなくなる。突入電流用の接点が通電可能となった後には定常電流用の接点が通電可能となるので、リレーが継電して定常電流が流れるようになったときには、主に導電率の高い材質からなる定常電流用の接点を通じて定常電流が通電される。
【００２３】
ここで、本実施形態において、リレーの製造工程を考えると、突入電流用の可動接点と固定接点とにより通電される可動接点端子と固定接点端子との間の電気的経路と、前記定常電流用の可動接点と固定接点とにより通電される可動接点端子と固定接点端子との間の電気的経路とが互いに分割されて独立しているので、これら２つの電気的経路の導通を可動接点側と固定接点側の端子間で別々に調べながらリレーを動作させることで、突入電流用と定常電流用のそれぞれの接点接触時刻を電気的に観測することが可能となる。これにより、突入電流用の接点接触時刻から定常電流用の接点接触時刻までの時間差を精密に管理することが可能となる。そして、この時間差管理による動作確認を行うことで、上述の時間差が適切でないような不良製品を製造工程にて特定可能となり、不良製品を出荷してしまうことを防止することができる。また、耐突入電流電磁リレーの調整工程においても、上記の各接点接触時刻を電気的に観測することにより容易に、また確実に上述の時間差を調整することが可能となり、不良製品を減らし、上述のように理想的な動作を行うように再調整することができる。
【００２４】
本実施形態におけるリレーは、図４に示されるように、ｃ接点と、ａ接点及びｂ接点とが共に突入電流用と定常電流用とに分割されて設けられており、それぞれが電気的に独立している構成であるが、ａ接点及びｂ接点が、それぞれ一つの固定接点端子に配されており、ｃ接点のみが突入電流用と定常電流用とに分割されて設けられている構成であってもよく、逆に、ｃ接点が一つの可動接点バネ４１に設けられて可動接点端子４１ｄと導通され、ａ接点及びｂ接点が電気的に分割されている構成であってもよい。図５に、ｃ接点のみが分割されて設けられているときのｃ接点側とａ接点側の端子の構成の一例を示す。ｃ接点である突入電流用可動接点４１ｃ及び定常電流用可動接点４２ｃはそれぞれ可動接点バネ４１、可動接点バネ４２に分割して設けられ、ａ接点である突入電流用固定接点５１ａ及び定常電流用固定接点５２ａは、共に固定接点端子５１に配される。ａ接点側の端子は固定接点端子５１のみであり、ｂ接点側の端子は固定接点端子６１のみである。リレーを搭載する基盤上等のリレー外部において、リレーでは電気的に分離されている可動接点端子４１ｄと可動接点端子４２ｄとの端子間が電気的に接続され、突入電流用と定常電流用の２つの電気的経路を並列として、上述と同様にして継電動作を行う。このような接点の構成であるときにも、製造工程及び調整工程にて突入電流用と定常電流用の２つの電気的経路の導通を調べることが可能となる。
【００２５】
なお、本発明は上記実施形態の構成に限定するものではなく、発明の範囲を変更しない範囲で適宜に種々の変形が可能である。例えば、この耐突入電流電磁リレーは、常閉または常開のどちらか一系統のみの接点及び端子を有するリレーであってもよく、また、カードブロックが永久磁石を有しておらず接極子が磁極を持たないような、いわゆる無極リレーであってもよい。
【図面の簡単な説明】
【００２６】
【図１】本発明の実施形態における耐突入電流電磁リレーの分解斜視図。
【図２】同上における耐突入電流電磁リレーの斜視図。
【図３】同上における耐突入電流電磁リレーの側断面図。
【図４】同上における耐突入電流電磁リレーの端子の構成を説明する斜視図。
【図５】同上における耐突入電流電磁リレーの端子の構成の別例を説明する斜視図。
【図６】従来における耐突入電流電磁リレーの分解斜視図。
【図７】同上における耐突入電流電磁リレーの端子の構成を説明する斜視図。
【図８】（ａ）は同上の可動接点バネの下面図、（ｂ）はその側面図、（ｃ）は同上の固定接点端子の上面図、（ｄ）はその側面図。
【図９】同上における耐突入電流電磁リレーの接点の接離動作を説明する側面図であって、（ａ）は突入電流用と定常電流用の両方の接点が離れているときの図、（ｂ）は突入電流用の接点が接続し、定常電流用の接点が離れているときの図、（ｃ）は突入電流用と定常電流用の両方の接点が接続しているときの図。
【符号の説明】
【００２７】
１  電磁石装置
１１  ボビン
１２  コイル
１３  鉄芯
１４  継鉄
２  ベース
３１  カード
３２  永久磁石
３３  接極子
４１，４２  可動接点バネ
４１ｃ  突入電流用可動接点
４２ｃ  定常電流用可動接点
４１ｄ，４２ｄ  可動接点端子
５１，５２，６１，６２  固定接点端子
５１ａ，６１ｂ  突入電流用固定接点
５２ａ，６２ｂ  定常電流用固定接点
【図１】
2006179351.tif 000003
【図２】
2006179351.tif 000004
【図３】
2006179351.tif 000005
【図４】
2006179351.tif 000006
【図５】
2006179351.tif 000007
【図６】
2006179351.tif 000008
【図７】
2006179351.tif 000009
【図８】
2006179351.tif 000010
【図９】
2006179351.tif 000011